(57)【要約】【課題】本発明は、電気集塵フィルタに関するものであり、メンテナンス性を向上することを目的とするものである。【解決手段】吸気口２と排気口３を有するケース４と、このケース４内において、前記吸気口２から吸い込まれる吸い込み空気中の粉塵を帯電させる荷電部５とを備え、前記荷電部５の下流のケース４内に、回転可能な風車状の集塵部６を設ける。集塵部６の表面を鏡面仕上げとし、集塵部６を回転可能な風車状とすることにより、非通電状態となる非通風時には集塵部６で通電時に集塵した粉塵は、集塵部６の表面から脱離し易くなるため、モータなどの動力により、通風時に集塵部６で捕集した粉塵を、通常の回転方向とは逆の回転を加える事で、集塵部６上に堆積した粉塵は脱離し撒き挙げられた後、重力により下面に配置されたダストボックス７で回収可能な、メンテナンス性の高い電気集塵ユニットを提供出来る。【選択図】図１
2010000404.tif 000002
【特許請求の範囲】
【請求項１】
吸気口と排気口を有するケースと、このケース内において、前記吸気口から吸い込まれる吸い込み空気中の粉塵を帯電させる荷電部とを備え、前記荷電部の下流のケース内に、回転可能な風車状の集塵部を設けたことを特徴とする電気集塵ユニット。
【請求項２】
前記集塵部は吸込空気の流れにより回転する構成としたことを特徴とする請求項１記載の電気集塵ユニット。
【請求項３】
前記集塵部の回転中心軸を電気集塵ユニットケース内の中心からずらした位置に配置したことを特徴とする請求項１または２のいずれか一つに記載の電気集塵ユニット。
【請求項４】
非通風時に前記集塵部を回転させることにより、前記集塵部に堆積した粉塵を脱離しやすくしたことを特徴とする請求項３記載の電気集塵ユニット。
【請求項５】
非通風時に前記集塵部の粉塵が堆積した面を下向きにすることにより、前記集塵部に堆積した粉塵を脱離しやすくしたことを特徴とする請求項３記載の電気集塵ユニット。
【請求項６】
非通風時に前記集塵部を回転させる時には、前記集塵部の吸気口およびまたは排気口を閉じることを特徴とする請求項４または５に記載の電気集塵ユニット。
【請求項７】
前記集塵部の表面を鏡面仕上げとしたことを特徴とする請求項４または５に記載の電気集塵ユニット。
【請求項８】
非通風時に、前記集塵部を通風時とは逆方向の回転運動をさせることにより、前記集塵部に積層した粉塵を振り落とすようにしたことを特徴とする請求項２または５記載の電気集塵ユニット。
【請求項９】
前記集塵部から脱離した粉塵を収集する回収部を設けたことを特徴とする請求項４〜８のいずれか一つに記載の電気集塵ユニット。
【発明の詳細な説明】
【技術分野】
【０００１】
本発明は、エアコン、空気清浄機などの居住空間の空気の粉塵を収集する電気集塵ユニットに関するものである。
【背景技術】
【０００２】
従来、この種の電気集塵ユニットは、吸気口と排気口を有するケース内に、吸入空気中の粉塵を帯電させる荷電部と、その下流側に荷電部とは逆の電荷を加えることで、荷電部で帯電させた粉塵を捕集する集塵部とを設け、集塵するものが知られている（例えば、下記特許文献１参照）。
【特許文献１】実開平６−７２６４４号公報
【発明の開示】
【発明が解決しようとする課題】
【０００３】
上記従来例における課題は、メンテナンス性が低いということであった。すなわち従来例では、集塵部で捕獲した塵埃を、この集塵部から離脱させるために、ブラシで擦るなどの作業が必要で、しかもこの作業はかなり手間のかかるものであったので、メンテナンス性を向上することが求められていた。
【０００４】
そこで本発明は、メンテナンス性を向上することを目的とするものである。
【課題を解決するための手段】
【０００５】
そしてこの目的を達成するために本発明は、吸気口と排気口を有するケースと、このケース内において、前記吸気口から吸い込まれる吸い込み空気中の粉塵を帯電させる荷電部とを備え、前記荷電部の下流のケース内に、回転可能な風車状の集塵部を設け、これにより初期の目的を達成するものである。
【発明の効果】
【０００６】
以上のごとく本発明は、吸気口と排気口を有するケースと、このケース内において、前記吸気口から吸い込まれる吸い込み空気中の粉塵を帯電させる荷電部とを備え、前記荷電部の下流のケース内に、回転可能な風車状の集塵部を設けたものであるので、メンテナンス性を向上することが出来る。
【０００７】
すなわち、集塵部を回転可能な風車状としたので、集塵部で捕らえた塵埃は、この集塵部の帯電を解いた後に回転させることで、簡単に離脱させることが出来、極めてメンテナンス性の良いものとなる。
【０００８】
また、集塵部を回転可能な風車状としたので、ケースを流れる空気流に対する通気抵抗を小さくすることも出来る。
【発明を実施するための最良の形態】
【０００９】
以下、本発明の実施の形態について図面を参照しながら説明する。
【００１０】
図１に示すように、本実施形態の電気集塵ユニット１は、空気を吸い込む吸気口２と空気を排気する排気口３を有する電気集塵ユニットケース４と、この電気集塵ユニットケース４内の上流と下流に設けられた荷電部５および集塵部６とを備えている。
【００１１】
電気集塵ユニットケース４内には、排気口３に連結された送風手段（図示せず）により先ず吸気口２から空気が吸い込まれる。吸込空気が荷電部５を通過する時に、吸込空気中に含まれる粉塵が正に帯電される。つまり荷電部５は正に帯電されている。
【００１２】
そして、正に帯電した粉塵を含む吸込空気が、次に電気集塵ユニットケース４内の下流へと流れる時に、上記正に帯電した粉塵は、粉塵とは逆に負に帯電した集塵部６に捕集される。そして、粉塵を集塵部６に捕集されて清浄化された吸込空気は、その後排気口３へと送風される。なお、荷電部５と集塵部６の帯電の正負は逆にしてもよい。
【００１３】
集塵部６は風車状の形状であり、吸込空気が流れる方向に対して回転中心軸６ａを直交させる方向で配置される。また集塵部６は、吸込空気が流れる方向に対して必ずしも同じ面で接するのではなく、かつ常に吸入空気が集塵部６に接することなく集塵部６を通過することのないように配置される。集塵部６を形成する４枚の集塵電極板６ｂは、板金もしくは導電性の板状の樹脂から成り、その表面は鏡面仕上げもしくはそれに相当する程なめらかに仕上げられ、これら４枚の集塵電極板６ｂを、それぞれが等間隔になるように配置させる。
【００１４】
具体的には、向かい合う２辺はそれぞれ平行となるように加工された四角形状となっている。この集塵電極板６ｂを４枚、集塵電極板６ｂと同じ材質からなる円筒形状で中抜きの回転中心軸６ａ上に、それぞれが等間隔になるように配置させ、固定し、集塵部６を構成する。なお、集塵電極板６ｂの枚数を４枚とした風車形状を例示したが、吸入空気がそのまま通過することがない限りにおいてはその枚数は規定されず必要な集塵能力に応じて増減できるものとする。
【００１５】
このように集塵部６は、複数の平板状の集塵電極板６ｂより成形されるため、加工が容易である。
【００１６】
更に図１に示すように、集塵部６の回転中心軸６ａはＬ字状の電気集塵ユニットケース４の水平方向側に配置している。
【００１７】
つまり、電気集塵ユニットケース４をＬ字状とし、その垂直側に吸気口２を設け、この回転中心軸６ａをＬ字状の電気集塵ユニットケース４の水平方向側に配置することにより、吸気口２から吸い込まれた空気流は、図１からも理解されるように、集塵電極板６ｂを矢印のごとく押し、これにより集塵部６を回転させることになる。このため、空気流に対してこの集塵部６が大きな通気抵抗となることは無い。
【００１８】
これに対して、回転中心軸６ａをＬ字状の電気集塵ユニットケース４の垂直側に配置すると、例えば図１の水平状態にある左右の集塵電極板６ｂに空気流が当たり、それによって集塵部６の回転が出来ず、この結果として空気流に対してこの集塵部６が大きな通気抵抗となる。
【００１９】
このような構成とすることによって、荷電部５部を通過した空気が、集塵部６の集塵電極板６ｂに直接ぶつかり、この空気圧によって風車形状の集塵部６は回転し、この回転により次の集塵電極板６ｂが、吸気口２から直進してきた吸入空気とぶつかり、以降はこの繰り返しで回転しながら集塵するものである。
【００２０】
ここで、本実施の形態の特徴点について説明する。本実施の形態において、集塵部６を風車状にし、回転構造とすることにより、これまで圧力損失が非常に大きくなることから空気流と並行にしか配列していなかった集塵部６を、粉塵を直接集塵部６に接触させられるようになるため、吸入空気が電気集塵ユニットケース４を通過する経路が短い場合においても、圧力損失の増加を低減し、尚且つ集塵効率の高い電気集塵ユニットを提供可能である。
【００２１】
すなわち、小型でかつ集塵効率の低下がない電気集塵ユニットを提供出来る。
【００２２】
また、集塵部６の表面を鏡面仕上げとすることにより、非通電状態となる非通風時には集塵部６で通電時に集塵した粉塵は、集塵部６の表面から脱離し易くなるため、脱離した粉塵は重力によりダストボックス７を配置した下面へ堆積していく。また他の方法は、モータなどの動力（図示せず）により、通風時に集塵部６で捕集した粉塵を、通常の回転方向とは逆の回転を加える事で、集塵部６上に堆積した粉塵は脱離し撒き挙げられた後、重力により下面に配置されたダストボックス７で回収可能な、メンテナンス性の高い電気集塵ユニットを提供出来る。
【００２３】
上記のごとく、本実施の形態においては、高集塵効率、低圧力損失を可能にしつつ、尚且つメンテナンス性の高い事を特徴としているが、以下の点については配慮しなければならない。
【００２４】
通風時において、集塵部６での粉塵の保持力と、集塵部６が受ける風速の関係により、風速が強過ぎることで粉塵が集塵部６の持つ保持力を凌駕し、脱離してしまう可能性があることに留意しなければならない。
【００２５】
また非通風時において、集塵部６をモータなどの動力（図示せず）により、通常とは逆の回転を与える際、集塵部６から脱離した粉塵が吸気口２、排気口３から漏れないよう、電気集塵ユニットケース４を密封する必要がある。
【００２６】
また、タバコのヤニ等、粘性の高いものが集塵部６に付着した際、上記の方法ではヤニが集塵部６から脱離することは難しいと考えられ、プレフィルター等を設置する必要がある。
【産業上の利用可能性】
【００２７】
空気中の粉塵を帯電させ、帯電した粉塵と逆電位の電極で粉塵を捕集する大型の産業用空気清浄装置としての用途にも適用できる。
【図面の簡単な説明】
【００２８】
【図１】本発明の実施の形態１の電気集塵ユニットを示す水平断面概略図
【符号の説明】
【００２９】
１    電気集塵ユニット
２    吸気口
３    排気口
４    電気集塵ユニットケース
５    荷電部
６    集塵部
６ａ  回転中心軸
６ｂ  集塵電極板
７    ダストボックス
【図１】
2010000404.tif 000003